【手続補正書】
【提出日】平成17年6月21日(2005.6.21)
【手続補正１】
【補正対象書類名】明細書
【補正対象項目名】特許請求の範囲
【補正方法】変更
【補正の内容】
【特許請求の範囲】
【請求項１】
情報処理装置に接続される印刷装置において、前記印刷装置の機能を実行する機能手段と、
前記機能手段を実行するのに必要なプログラムとを有し、
前記情報処理装置による前記機能手段の実行に必要なプログラムの有無の判別の結果、前記印刷装置の中に必要なプログラムが無いと判別された場合には、ダウンロード開始コマンドにより、前期情報処理装置から前記印刷装置に必要なプログラムのダウンロードを開始することを特徴とする印刷装置。
【請求項２】
前記機能手段を実行するのに必要なプログラムは、
スキャナプログラム、プリントプログラム、コピープログラム、ファックスプログラム、圧縮プログラム、伸長プログラム、音声出力プログラムのうちの少なくとも１つであることを特徴とする請求項１に記載の印刷装置。
【請求項３】
前記印刷装置の機能を実行する機能手段は、スキャナユニット、ファックスパーツ、データ圧縮回路、データ伸長回路、スピーカーパーツのうちの少なくとも１つであることを特徴とする請求項１または２に記載の印刷装置。
【請求項４】
前記印刷装置の機能は、コピー機能、プリント機能、ファックス機能、圧縮機能、伸長機能のうちの少なくとも１つであることを特徴とする請求項１または２に記載の印刷装置。
【請求項５】
印刷装置に接続される情報処理装置であって、印刷装置の機能を実行するのに必要なプログラムを記憶する記憶手段と、
前記印刷装置における機能の実行に必要なプログラムの有無を判別する判別手段とを有し、
前記判別手段による判別の結果、前記印刷装置の中に必要なプログラムが無いと判別された場合には、ダウンロード開始コマンドを発行し、前記印刷装置に必要なプログラムのダウンロードを開始することを特徴とする情報処理装置。
【請求項６】
前記機能を実行するのに必要なプログラムは、
スキャナプログラム、プリントプログラム、コピープログラム、ファックスプログラム、圧縮プログラム、伸長プログラム、音声出力プログラムのうちの少なくとも１つであることを特徴とする請求項５に記載の情報処理装置。
【請求項７】
前記印刷装置の機能は、コピー機能、プリント機能、ファックス機能、圧縮機能、伸長機能のうちの少なくとも１つであることを特徴とする請求項５または６に記載の情報処理装置。
【請求項８】
情報処理装置と印刷装置からなる印刷システムであって、
前記印刷装置の機能を実行する機能手段と、
前記印刷装置の機能手段を実行するのに必要なプログラムと
前記印刷装置の機能手段を実行するのに必要なプログラムの有無を判別する判別手段とを有し、
前記判別手段による判別の結果、前記印刷装置の中に必要なプログラムが無いと判別された場合には、前記印刷装置に必要なプログラムのダウンロードを開始することを特徴とする印刷システム。
【請求項９】
前記機能手段を実行するのに必要なプログラムは、
スキャナプログラム、プリントプログラム、コピープログラム、ファックスプログラム、圧縮プログラム、伸長プログラム、音声出力プログラムのうちの少なくとも１つであることを特徴とする請求項８に記載の印刷システム。
【請求項１０】
前記印刷装置の機能を実行する機能手段は、スキャナユニット、ファックスパーツ、データ圧縮回路、データ伸長回路、スピーカーパーツのうちの少なくとも１つであることを特徴とする請求項８または９に記載の印刷システム。
【請求項１１】
前記印刷装置の機能は、コピー機能、プリント機能、ファックス機能、圧縮機能、伸長機能のうちの少なくとも１つであることを特徴とする請求項８または９に記載の印刷システム。
【請求項１２】
情報処理装置と印刷装置とからなる印刷システムであって、前記情報処理装置は、複数のプログラムを記憶する記憶手段と、指定されたプログラムを印刷装置にダウンロードする手段とを有し、前記印刷装置は、情報処理装置よりダウンロードされるプログラムを受信し、起動させるためのブートプログラムを記憶する第１記憶手段と、受信したプログラムを記憶する第２記憶手段とを有することを特徴とする印刷システム。
【請求項１３】
情報処理装置に接続される印刷装置であって、情報処理装置からプログラムがダウンロードされるか否かを判別する判別手段と、前記判別手段によりダウンロードされると判別された場合、動作中のプログラムの動作を中止させ、初期化し、ダウンロードされるプログラムを記憶させる手段を有することを特徴とする印刷装置。
【請求項１４】
印刷装置にダウンロードされているプログラムの問い合わせを行うことによりプログラムを認識する認識手段と、前記認識手段により認識されたプログラムが動作中のプリンタドライバに対応しているか否かを判別する判別手段と、前記判別手段により対応していないと判別された場合、動作中のプリンタドライバに対応したプログラムをダウンロードする手段とを有することを特徴とする情報処理装置。
【請求項１５】
前記判別手段により対応していると判別された場合、プリントデータを送信する送信手段を有することを特徴とする請求項１４記載の情報処理装置。
【請求項１６】
情報処理装置よりスキャナプログラム、コピープログラム、または、ファックスプログラムを受信する手段と、スキャナプログラムを受信した場合、接続されているスキャナ手段よりデータを入力し、入力したデータを情報処理装置に送信する手段と、コピープログラムを受信した場合、接続されているスキャナ手段よりデータを入力し、入力したデータを印刷手段に印刷させる手段と、ファックスプログラムを受信した場合、公衆回線よりデータを入力し、入力したデータを印刷手段に印刷させるか、または、前記受信したファックスプログラムにより接続されているスキャナ手段よりデータを入力し、入力したデータを公衆回線に出力する手段とを有することを特徴とする印刷装置。
【請求項１７】
前記受信手段は、印刷プログラムを受信可能であり、印刷プログラムを受信した場合、受信したデータを印刷手段に印刷させる手段を有することを特徴とする請求項１６記載の印刷装置。
【請求項１８】
情報処理装置に接続される印刷装置の制御方法において、
前記印刷装置の機能を実行する機能手段と、
前記機能手段を実行するのに必要なプログラムとを有し、
前記情報処理装置による前記機能手段の実行に必要なプログラムの有無の判別の結果、前記印刷装置の中に必要なプログラムが無いと判別された場合には、ダウンロード開始コマンドにより、前期情報処理装置から前記印刷装置に必要なプログラムのダウンロードを開始することを特徴とする印刷装置の制御方法。
【請求項１９】
前記機能手段を実行するのに必要なプログラムは、
スキャナプログラム、プリントプログラム、コピープログラム、ファックスプログラム、圧縮プログラム、伸長プログラム、音声出力プログラムのうちの少なくとも１つであることを特徴とする請求項１８に記載の印刷装置の制御方法。
【請求項２０】
前記印刷装置の機能を実行する機能手段は、スキャナユニット、ファックスパーツ、データ圧縮回路、データ伸長回路、スピーカーパーツのうちの少なくとも１つであることを特徴とする請求項１８または１９に記載の印刷装置の制御方法。
【請求項２１】
前記印刷装置の機能は、コピー機能、プリント機能、ファックス機能、圧縮機能、伸長機能のうちの少なくとも１つであることを特徴とする請求項１８または１９に記載の印刷装置の制御方法。
【請求項２２】
印刷装置に接続される情報処理装置の制御方法であって、
印刷装置の機能を実行するのに必要なプログラムを記憶する記憶手段と、
前記印刷装置における機能の実行に必要なプログラムの有無を判別する判別ステップとを有し、
前記判別ステップによる判別の結果、前記印刷装置の中に必要なプログラムが無いと判別された場合には、ダウンロード開始コマンドを発行し、前記印刷装置に必要なプログラムのダウンロードを開始することを特徴とする情報処理装置の制御方法。
【請求項２３】
前記機能を実行するのに必要なプログラムは、
スキャナプログラム、プリントプログラム、コピープログラム、ファックスプログラム、圧縮プログラム、伸長プログラム、音声出力プログラムのうちの少なくとも１つであることを特徴とする請求項２２に記載の情報処理装置の制御方法。
【請求項２４】
前記印刷装置の機能は、コピー機能、プリント機能、ファックス機能、圧縮機能、伸長機能のうちの少なくとも１つであることを特徴とする請求項２２または２３に記載の情報処理装置の制御方法。
【請求項２５】
情報処理装置と印刷装置からなる印刷システムの制御方法であって、
前記印刷装置の機能を実行する機能手段と、
前記印刷装置の機能手段を実行するのに必要なプログラムと
前記印刷装置の機能手段を実行するのに必要なプログラムの有無を判別する判別ステップとを有し、
前記判別ステップによる判別の結果、前記印刷装置の中に必要なプログラムが無いと判別された場合には、前記印刷装置に必要なプログラムのダウンロードを開始することを特徴とする印刷システムの制御方法。
【請求項２６】
前記機能手段を実行するのに必要なプログラムは、
スキャナプログラム、プリントプログラム、コピープログラム、ファックスプログラム、圧縮プログラム、伸長プログラム、音声出力プログラムのうちの少なくとも１つであることを特徴とする請求項２５に記載の印刷システムの制御方法。
【請求項２７】
前記印刷装置の機能を実行する機能手段は、スキャナユニット、ファックスパーツ、データ圧縮回路、データ伸長回路、スピーカーパーツのうち少なくとも１つであることを特徴とする請求項２５または２６に記載の印刷システムの制御方法。
【請求項２８】
前記印刷装置の機能は、コピー機能、プリント機能、ファックス機能、圧縮機能、伸長機能のうち少なくとも１つであることを特徴とする請求項２５または２６に記載の印刷システムの制御方法。
【請求項２９】
情報処理装置と印刷装置とからなる印刷システムの制御方法であって、前記情報処理装置は、複数のプログラムを記憶しており、指定されたプログラムを印刷装置にダウンロードし、前記印刷装置は、ブートプログラムを記憶しており、情報処理装置よりダウンロードされるプログラムを受信し、メモリに記憶させ、起動させることを特徴とする印刷システムの制御方法。
【請求項３０】
情報処理装置に接続される印刷装置の制御方法であって、情報処理装置からプログラムがダウンロードされるか否かを判別する判別ステップと、前記判別ステップによりダウンロードされると判別された場合、動作中のプログラムの動作を中止させ、初期化し、ダウンロードされるプログラムを受信するステップを有することを特徴とする印刷装置の制御方法。
【請求項３１】
印刷装置にダウンロードされているプログラムの問い合わせを行うことによりプログラムを認識する認識ステップと、前記認識ステップにより認識されたプログラムが動作中のプリンタドライバに対応しているか否かを判別する判別ステップと、前記判別ステップにより対応していないと判別された場合、動作中のプリンタドライバに対応したプログラムをダウンロードするステップとを有することを特徴とする情報処理装置の制御方法。
【請求項３２】
前記判別ステップにより対応していると判別された場合、プリントデータを送信する送信ステップを有することを特徴とする請求項３１記載の情報処理装置の制御方法。
【請求項３３】
情報処理装置よりスキャナプログラム、コピープログラム、または、ファックスプログラムを受信するステップと、スキャナプログラムを受信した場合、接続されているスキャナ手段よりデータを入力し、入力したデータを情報処理装置に送信するステップと、コピープログラムを受信した場合、接続されているスキャナ手段よりデータを入力し、入力したデータを印刷手段に印刷させるステップと、ファックスプログラムを受信した場合、公衆回線よりデータを入力し、入力したデータを印刷手段に印刷させるか、または、前記受信したファックスプログラムにより接続されているスキャナ手段よりデータを入力し、入力したデータを公衆回線に出力するステップとを有することを特徴とする印刷装置の制御方法。
【請求項３４】
前記受信ステップは、印刷プログラムを受信可能であり、印刷プログラムを受信した場合、受信したデータを印刷手段に印刷させるステップを有することを特徴とする請求項３３記載の印刷装置の制御方法。
【請求項３５】
請求項１８乃至３４のいずれかに記載の制御方法の制御プログラムを記憶した記憶媒体。
【手続補正２】
【補正対象書類名】明細書
【補正対象項目名】００２６
【補正方法】変更
【補正の内容】
【００２６】
【課題を解決するための手段】
上記目的を達成するために本発明の印刷装置は、情報処理装置に接続される印刷装置において、前記印刷装置の機能を実行する機能手段と、前記機能手段を実行するのに必要なプログラムとを有し、
前記情報処理装置による前記機能手段の実行に必要なプログラムの有無の判別の結果、前記印刷装置の中に必要なプログラムが無いと判別された場合には、ダウンロード開始コマンドにより、前期情報処理装置から前記印刷装置に必要なプログラムのダウンロードを開始することを特徴とする。
【手続補正３】
【補正対象書類名】明細書
【補正対象項目名】００２７
【補正方法】変更
【補正の内容】
【００２７】
ここで、例えば、前記機能手段を実行するのに必要なプログラムは、スキャナプログラム、プリントプログラム、コピープログラム、ファックスプログラム、圧縮プログラム、伸長プログラム、音声出力プログラムのうちの少なくとも１つであることが好ましい。
【手続補正４】
【補正対象書類名】明細書
【補正対象項目名】００２８
【補正方法】変更
【補正の内容】
【００２８】
ここで、例えば、前記印刷装置の機能を実行する機能手段は、スキャナユニット、ファックスパーツ、データ圧縮回路、データ伸長回路、スピーカーパーツのうちの少なくとも１つであることが好ましい。
【手続補正５】
【補正対象書類名】明細書
【補正対象項目名】００２９
【補正方法】変更
【補正の内容】
【００２９】
ここで、例えば、前記印刷装置の機能は、コピー機能、プリント機能、ファックス機能、圧縮機能、伸長機能のうちの少なくとも１つであることが好ましい。
【手続補正６】
【補正対象書類名】明細書
【補正対象項目名】００３０
【補正方法】変更
【補正の内容】
【００３０】
また、本発明の情報処理装置は、印刷装置に接続される情報処理装置であって、印刷装置の機能を実行するのに必要なプログラムを記憶する記憶手段と、前記印刷装置における機能の実行に必要なプログラムの有無を判別する判別手段とを有し、前記判別手段による判別の結果、前記印刷装置の中に必要なプログラムが無いと判別された場合には、ダウンロード開始コマンドを発行し、前記印刷装置に必要なプログラムのダウンロードを開始することを特徴とする。
【手続補正７】
【補正対象書類名】明細書
【補正対象項目名】００３１
【補正方法】変更
【補正の内容】
【００３１】
ここで、例えば、前記機能を実行するのに必要なプログラムは、スキャナプログラム、プリントプログラム、コピープログラム、ファックスプログラム、圧縮プログラム、伸長プログラム、音声出力プログラムのうちの少なくとも１つであることが好ましい。
【手続補正８】
【補正対象書類名】明細書
【補正対象項目名】００３２
【補正方法】変更
【補正の内容】
【００３２】
ここで、例えば、前記印刷装置の機能は、コピー機能、プリント機能、ファックス機能、圧縮機能、伸長機能のうちの少なくとも１つであることが好ましい。
【手続補正９】
【補正対象書類名】明細書
【補正対象項目名】００３３
【補正方法】変更
【補正の内容】
【００３３】
また、本発明の印刷システムは、情報処理装置と印刷装置からなる印刷システムであって、前記印刷装置の機能を実行する機能手段と、前記印刷装置の機能手段を実行するのに必要なプログラムと前記印刷装置の機能手段を実行するのに必要なプログラムの有無を判別する判別手段とを有し、前記判別手段による判別の結果、前記印刷装置の中に必要なプログラムが無いと判別された場合には、前記印刷装置に必要なプログラムのダウンロードを開始することを特徴とする。
【手続補正１０】
【補正対象書類名】明細書
【補正対象項目名】００３４
【補正方法】変更
【補正の内容】
【００３４】
また、本発明の印刷システムは、情報処理装置と印刷装置とからなる印刷システムであって、前記情報処理装置は、複数のプログラムを記憶する記憶手段と、指定されたプログラムを印刷装置にダウンロードする手段とを有し、前記印刷装置は、情報処理装置よりダウンロードされるプログラムを受信し、起動させるためのブートプログラムを記憶する第１記憶手段と、受信したプログラムを記憶する第２記憶手段とを有することを特徴とする。
【手続補正１１】
【補正対象書類名】明細書
【補正対象項目名】００３５
【補正方法】変更
【補正の内容】
【００３５】
また、本発明の印刷装置は、情報処理装置に接続される印刷装置であって、情報処理装置からプログラムがダウンロードされるか否かを判別する判別手段と、前記判別手段によりダウンロードされると判別された場合、動作中のプログラムの動作を中止させ、初期化し、ダウンロードされるプログラムを記憶させる手段を有することを特徴とする。
【手続補正１２】
【補正対象書類名】明細書
【補正対象項目名】００３６
【補正方法】変更
【補正の内容】
【００３６】
また、本発明の情報処理装置は、印刷装置にダウンロードされているプログラムの問い合わせを行うことによりプログラムを認識する認識手段と、前記認識手段により認識されたプログラムが動作中のプリンタドライバに対応しているか否かを判別する判別手段と、前記判別手段により対応していないと判別された場合、動作中のプリンタドライバに対応したプログラムをダウンロードする手段とを有することを特徴とする。
【手続補正１３】
【補正対象書類名】明細書
【補正対象項目名】００３７
【補正方法】変更
【補正の内容】
【００３７】
また、本発明の印刷装置は、情報処理装置よりスキャナプログラム、コピープログラム、または、ファックスプログラムを受信する手段と、スキャナプログラムを受信した場合、接続されているスキャナ手段よりデータを入力し、入力したデータを情報処理装置に送信する手段と、コピープログラムを受信した場合、接続されているスキャナ手段よりデータを入力し、入力したデータを印刷手段に印刷させる手段と、ファックスプログラムを受信した場合、公衆回線よりデータを入力し、入力したデータを印刷手段に印刷させるか、または、前記受信したファックスプログラムにより接続されているスキャナ手段よりデータを入力し、入力したデータを公衆回線に出力する手段とを有することを特徴とする。
【手続補正１４】
【補正対象書類名】明細書
【補正対象項目名】００３８
【補正方法】変更
【補正の内容】
【００３８】
ここで、例えば、前記受信手段は、印刷プログラムを受信可能であり、印刷プログラムを受信した場合、受信したデータを印刷手段に印刷させる手段を有することが好ましい。